(57)【要約】【課題】繊維が脱落しにくく、塵吸着性に優れ、且つ吸水性にも優れた清掃性能の高い清掃布の提供。【解決手段】互いに向き合う第１の布材１０と第２の布材２０との間に、第３の布材３０が挟まれている少なくとも３層構造になっている清掃布であって、第１の布材１０及び第２の布材２０は長繊維材料からなり、第３の布材３０は短繊維材料からなることを特徴とする清掃布を提供する。【選択図】図１
0003172054.tif 000002
【実用新案登録請求の範囲】
【請求項１】
互いに向き合う第１の布材と第２の布材との間に、
第３の布材が挟まれる少なくとも３層構造になっている清掃布であって、
前記第１の布材及び第２の布材は長繊維材料からなり、
前記第３の布材は短繊維材料からなることを特徴とする清掃布。
【請求項２】
前記第１の布材は、長繊維材料を用いた不織布であることを特徴とする請求項１に記載の清掃布。
【請求項３】
前記第２の布材は、長繊維材料を用いた不織布または織布であることを特徴とする請求項１または請求項２に記載の清掃布。
【請求項４】
前記第３の布材は、アセテート繊維とポリプロピレン繊維とポリエステル繊維とからなる群より選ばれた少なくとも一種の材料を用いて作成されたものであることを特徴とする請求項１〜請求項３のいずれかに記載の清掃布。
【請求項５】
前記第３の布材を構成する繊維において、アセテート繊維が占める割合は４５％以上から５５％以下の範囲内にあることを特徴とする請求項４に記載の清掃布。
【考案の詳細な説明】
【技術分野】
【０００１】
本考案は清掃布に関し、特に繊維が脱落しにくく、塵吸着性に優れ、且つ吸水性にも優れた清掃布に関する。
【背景技術】
【０００２】
従来の清掃布は、単層構造か多層構造かに関わらず、例えば特許文献１に記載されているように、殆どが単一種類の繊維で製造されており、長繊維か短繊維かのどちらかが用いられている。長繊維を材料に用いた清掃布は、繊維が長いことにより繊維同士の結合が密なので、繊維が脱落しにくく、また塵吸着性に優れるが、吸水性に劣る。一方、短繊維を材料に用いた清掃布は、繊維が短いことにより繊維同士の結合が疎なので、吸水性には優れるが、繊維が脱落しやすく、塵吸着性も劣る。
【先行技術文献】
【特許文献】
【０００３】
【特許文献１】台湾実用新案登録第Ｍ３１４５８９号公報
【考案の概要】
【考案が解決しようとする課題】
【０００４】
前記従来の清掃布においては、長繊維か短繊維かどちらか一方の材料のみを用いているため、長繊維を用いれば吸水性に劣り、短繊維を用いれば繊維が脱落しやすく塵吸着性にも劣るという問題点があった。
以上の課題に鑑み、本考案は、繊維が脱落しにくく、塵吸着性に優れ、且つ吸水性にも優れた、清掃性能の高い清掃布を提供することを目的とする。
【課題を解決するための手段】
【０００５】
上記目的を達成するために、本考案によれば、互いに向き合う第１の布材と第２の布材との間に、第３の布材が挟まれる少なくとも３層構造になっている清掃布であって、第１の布材及び第２の布材は長繊維材料からなり、第３の布材は短繊維材料からなることを特徴とする清掃布が提供される。
【考案の効果】
【０００６】
本考案に係る清掃布によれば、長繊維材料からなる第１、第２の布材が外側にあって、短繊維材料からなる第３の布材が内側に配置されるように少なくとも３層構造に構成されるので、長繊維と短繊維とがそれぞれ持っている利点、つまり、繊維が脱落しにくく且つ塵吸着性にも優れるという長繊維布材が有する特性と、吸水性に優れるという短繊維布材が有する特性とを、一枚の清掃布に兼備させることができ、これにより清掃布の清掃性能を向上させることができる。
【図面の簡単な説明】
【０００７】
【図１】本案の第一の実施例に係る清掃布の断面図である。
【図２】本案の第二の実施例に係る清掃布の断面図である。
【考案を実施するための形態】
【０００８】
以下、添付図面を参照して、本考案に係る一実施の形態を説明する。
【０００９】
図１は本考案に係る清掃布の第一の好ましい実施形態を示しており、本実施形態における清掃布は第１の布材１０、第２の布材２０、第３の布材３０から３層構造に構成されている。
【００１０】
第１の布材１０は長繊維材料からなり、第２の布材２０と向かい合う面である第１の裏面１１を有す。本実施形態では、第１の布材１０としては長繊維材料を用いた不織布を用いている。
【００１１】
第２の布材２０は長繊維材料からなり、第１の布材１０と向かい合う面である第２の裏面２１を有す。本実施形態では、第２の布材２０としては長繊維材料を用いた不織布を用いている。
【００１２】
第３の布材３０は短繊維材料からなり、第１の布材１０の第１の裏面１１と第２の布材２０の第２の裏面２１との間に挟まれるように配置されている。第３の布材３０は、例えばアセテート繊維とポリプロピレン繊維とポリエステル繊維とからなる群より選ばれた少なくとも一種の材料を用いて作成されてもよく、またこの場合、望ましい吸水効果を得るために、アセテート繊維が占める割合が４５〜５５％であることが好ましい。
【００１３】
第１の布材１０と第２の布材２０を、第３の布材３０を間に挟み込むように重ね合わせ、例えばミシンで一体に縫合すると、本考案に係る清掃布が成形される。この構成において被清掃面と接触する外側部分となる第１の布材１０と第２の布材２０とは、長繊維材料からなっているので、繊維同士の結合が密であることにより繊維が脱落しにくく且つ塵吸着性にも優れるという特性を持っているので、被清掃面に付着している埃や糸屑等を効率的に捕集することができる。一方、第１の布材及び第２の布材に挟まれる内側部分となる第３の布材３０は、短繊維材料からなっており、繊維同士の結合が疎であることにより吸水性に優れるという特性を持っているので、第１の布材１０と第２の布材２０とが含んだ水分を毛細管現象によって速やかに吸収し保持し、これにより第１の布材１０と第２の布材２０との適度な乾燥度合いを維持することができる。従って、このような構成によれば、本案に係る清掃布は、繊維が脱落しにくく塵吸着性に優れるという長繊維材料の特性と、吸水性に優れるという短繊維の特性とを兼備することができ、高い清掃性能を呈すことができる。
【００１４】
因みに、本実施形態は、第１の布材１０、第２の布材２０及び第３の布材３０をそれぞれ一枚ずつ重ね合わせて構成した３層構造の清掃布を例として挙げたが、互いに向き合う第１の布材１０と第２の布材２０との間に、第３の布材３０以外にも、他の布材層も挟まれるように構成した３層以上の構造からなる清掃布も例として挙げられる。
【００１５】
図２は本考案に係る清掃布の第二の好ましい実施形態を示しており、本実施形態における清掃布は第１の布材１０´、第２の布材２０´、第３の布材３０´から構成されている。第１の布材１０´及び第３の布材３０´の構成は、第一の好ましい実施形態における第１の布材１０及び第３の布材３０の構成と同様であるが、本実施形態においては第２の布材２０´として長繊維材料を用いた織布を用いている。
【００１６】
なお、上記実施形態において、本案に係る清掃布は、第１の布材１０、１０´と第２の布材２０、２０´とを、第３の布材３０、３０´を挟み込むように重ね合わせてミシンで一体に縫成されたが、成形方法はこれに限らないことはいうまでもなく、例えば点状に熱溶着する方法などにより成形されてもよい。
【００１７】
本考案を、好ましい実施形態に即して説明してきたが、本考案は上記実施形態には限定されず、最も広い解釈の範囲に含まれる種々の変更を網羅していることが意図されていると理解されなければならない。
【産業上の利用可能性】
【００１８】
本考案に係る清掃布は、繊維が脱落しにくく塵吸着性にも優れ且つ吸水性にも優れるので、従来よりも清掃性能が高い清掃布を提供できる。
【符号の説明】
【００１９】
１０、１０´  第１の布材
１１          第１の裏面
２０、２０´  第２の布材
２１          第２の裏面
３０、３０´  第３の布材
【図１】
0003172054.tif 000003
【図２】
0003172054.tif 000004